(57)【特許請求の範囲】
【請求項１】
参照光と信号光を光情報記録媒体に照射し、ホログラフィを利用してデジタル情報を記録および再生する光情報記録再生装置であって、
参照光と信号光を光情報記録媒体に照射するピックアップと、
前記光ピックアップから照射された前記参照光の位相共役光を生成する位相共役光学系と、
前記光情報記録媒体のプリキュア及びポストキュアに用いる光ビームを生成するキュア光学系と、
前記キュア光学系から出射され光情報記録媒体を透過もしくは反射した光を受ける光検出器と、
前記参照光の前記光情報記録媒体に照射する角度を変更する角度変更手段と、
を備え、
前記光情報記録媒体の同一箇所に、前記参照光の照射角度を変える事で角度多重記録を行う光情報記録再生装置であって、
前記光情報記録媒体に記録されるデータを受け取った後、及び、受け取ったデータを前記光情報記録媒体に角度多重記録する前に、前記キュア光学系から出射し、前記光情報記録媒体の角度多重記録位置に対して最初に透過もしくは反射した光に基づいて、欠陥があるかどうかを決定する事を特徴とする光情報記録再生装置。
【請求項２】
前記キュア光学系から出射され光情報記録媒体を透過もしくは反射した光の光量に基づき情報記録可能かどうかを検知することを特徴とする請求項１に記載の光情報記録再生装置。
【請求項３】
参照光と信号光を光情報記録媒体に照射し、ホログラフィを利用してデジタル情報を記録および再生する光情報記録再生装置であって、
参照光と信号光を光情報記録媒体に照射するピックアップと、
前記光ピックアップから照射された前記参照光の位相共役光を生成する位相共役光学系と、
前記参照光の前記光情報記録媒体に照射する角度を変更する角度変更手段と、
を備え、
前記光情報記録媒体の同一箇所に、前記参照光の照射角度を変える事で角度多重記録を行う光情報記録再生装置であって、
前記光情報記録媒体に記録されるデータを受け取った後、及び、受け取ったデータを前記光情報記録媒体に角度多重記録する前に、前記光情報記録媒体上の角度多重記録位置に対して最初に照射された参照光又は信号光のどちらかの透過光又は反射光に基づいて、前記光情報記録媒体に欠陥があるかどうかを決定し、
記録時に情報記録媒体へ出射された参照光もしくは信号光の透過光もしくは反射光の光量に基づき情報の記録を続けるか、中断するかを判断することを特徴とする光情報記録再生装置。
【請求項４】
参照光と信号光を光情報記録媒体に照射し、ホログラフィを利用してデジタル情報を記録および再生し、光情報記録媒体の同一箇所に参照光の照射角度を変更する事により角度多重の記録及び再生する情報記録再生方法であって、
参照光と信号光を光情報記録媒体に照射するステップと、
前記光ピックアップから照射された前記参照光の位相共役光を生成するステップと、
前記光情報記録媒体のプリキュア及びポストキュアに用いる光ビームを生成するステップと、
前記キュア光生成ステップで生成され、光情報記録媒体を透過もしくは反射した光を検出するステップと含み、
前記光情報記録媒体に記録されるデータを受け取った後、及び、受け取ったデータを前記光情報記録媒体に角度多重で記録する前に、前記キュア光生成ステップで生成され、光情報記録媒体の角度多重記録位置に対して最初に透過もしくは反射した光に基づいて、欠陥があるかどうかを決定する事を特徴とする光情報記録再生方法。
【請求項５】
前記キュア光生成ステップで生成され、光情報記録媒体を透過もしくは反射した光の光量に基づき情報記録可能かどうかを検知することを特徴とする請求項４に記載の光情報記録再生方法。
【請求項６】
参照光と信号光を光情報記録媒体に照射し、ホログラフィを利用してデジタル情報を記録および再生し、光情報記録媒体の同一箇所に参照光の照射角度を変更する事により角度多重の記録及び再生する光情報記録再生方法であって、
参照光と信号光を光情報記録媒体に照射するステップと、
前記光情報記録媒体に照射された前記参照光の位相共役光を生成するステップと、
前記光情報記録媒体に記録されるデータを受け取った後、及び、受け取ったデータを前記光情報記録媒体に角度多重で記録する前に、前記光情報記録媒体上の角度多重記録位置に対して最初に照射された参照光又は信号光のどちらかの透過光又は反射光に基づいて、前記光情報記録媒体に欠陥があるかどうかを決定するステップと、
ホログラフィ記録時に情報記録媒体へ出射された参照光もしくは信号光の透過光もしくは反射光の光量に基づき情報の記録を続けるか、中断するかを判断するステップとを含む光情報記録再生方法。
【発明の詳細な説明】
【技術分野】
【０００１】
本発明は、ホログラフィを用いて、光情報記録媒体に情報を記録する、および／または光情報記録媒体から情報を再生する、装置に関する。
【背景技術】
【０００２】
現在、青紫色半導体レーザを用いた、Ｂｌｕ−ｒａｙ  Ｄｉｓｃ（ＢＤ）規格やＨｉｇｈ  Ｄｅｆｉｎｉｔｉｏｎ  Ｄｉｇｉｔａｌ  Ｖｅｒｓａｔｉｌｅ  Ｄｉｓｃ（ＨＤ  ＤＶＤ）規格などにより、民生用においても５０ＧＢ程度の記録密度を持つ光ディスクの商品化が可能となってきた。
【０００３】
今後は、光ディスクでも１００ＧＢ〜１ＴＢというＨＤＤ（Ｈａｒｄ  Ｄｉｓｃ  Ｄｒｉｖｅ）容量と同程度まで大容量化が望まれる。
【０００４】
しかしながら、このような超高密度を光ディスクで実現するためには、今までの様な短波長化と対物レンズ高ＮＡ化による従来の高密度技術のトレンドとは異なった新しいストレージ技術が必要となる。
【０００５】
次世代のストレージ技術に関する研究が行われる中、ホログラフィを利用してデジタル情報を記録するホログラム記録技術が注目を集めている。
【０００６】
ホログラム記録技術とは、空間光変調器により２次元的に変調されたページデータの情報を有する信号光と、参照光とを記録媒体の内部で重ね合わせ、その時に生じる干渉縞パターンによって記録媒体内に屈折率変調を生じさせることで情報を記録する技術である。
【０００７】
また情報の再生時には、記録時に用いた参照光を同じ配置で記録媒体に照射すると、記録媒体中に記録されているホログラムが回折格子のように作用して回折光を生じる。この回折光が記録した信号光と位相情報を含めて同一の光として再生される。
【０００８】
再生された信号光は、ＣＭＯＳやＣＣＤなどの光検出器を用いて２次元的に高速に検出される。このようにホログラム記録では、１つのホログラムで２次元的な情報を同時に記録／再生され、また同じ場所に複数のページデータを重ね書きすることができるため、大容量かつ高速な情報の記録再生に有効である。
【０００９】
ホログラム記録技術として、例えば特許文献１がある。本公報には、信号光束をレンズで光情報記録媒体に集光すると同時に、平行光束の参照光を照射して干渉させてホログラムの記録を行い、さらに参照光の光記録媒体への入射角度を変えながら異なるページデータを空間光変調器に表示して多重記録を行う、いわゆる角度多重記録方式が記載されている。さらに本公報には、信号光をレンズで集光してそのビームウエストに開口（空間フィルタ）を配することにより、隣接するホログラムの間隔を短くすることができ、従来の角度多重記録方式に比べて記録密度／容量を増大させる技術が記載されている。
【００１０】
また、ホログラム記録技術として、例えば特許文献２がある。本公報には、１つの空間光変調器において内側の画素からの光を信号光、外側の輪帯状の画素からの光を参照光として、両光束を同じレンズで光記録媒体に集光し、レンズの焦点面付近で信号光と参照光を干渉させてホログラムを記録するシフト多重方式を用いた例が記述されている。
【００１１】
【特許文献１】特開２００４−２７２２６８号公報
【特許文献２】ＷＯ２００４−１０２５４２号公報
【発明の開示】
【発明が解決しようとする課題】
【００１２】
ところで、BDに代表される従来の光情報記録装置においては、光情報記録媒体に光情報記録媒体についたゴミや傷、もしくは光情報記録媒体の内部にある、気泡や不純物等の欠陥があった場合に対処する為に、記録直後にベリファイ処理を行い記録の信頼性を高めている。
【００１３】
この時、読み出し処理に使用する光は、光情報記録媒体が変質しない強度の光を使用している。
【００１４】
しかしながら、ホログラフィを利用した光情報記録媒体の場合、光の強度によらず変質を起こしてしまう。そのため、光情報記録媒体についたゴミや傷、もしくは光情報記録媒体の内部にある、気泡や不純物等の欠陥の有る位置で記録や再生を行おうとすると、傷や欠陥、光情報記録媒体や光情報記録再生装置による光の拡散、反射により記録再生位置近辺の記録媒体が変質してしまい記録可能量の低下といった影響を与えてしまう。そのため、欠陥部分での記録や再生は情報記録媒体の信頼性を低下させる。
【００１５】
本発明は、上記問題を鑑みなされたものであり、光情報記録媒体に付いた光情報記録媒体についたゴミや傷、もしくは光情報記録媒体の内部にある、気泡や不純物等の欠陥のある光情報記録媒体であっても、欠陥を早期に発見することにより欠陥周辺の光情報記録媒体に影響を与えない記録や再生方式を提供することを目的とする。
【課題を解決するための手段】
【００１６】
本発明の目的は、以下で解決できる。
【００１７】
例えば一例として、参照光と信号光を光情報記録媒体に照射し、ホログラフィを利用してデジタル情報を記録および再生する光情報記録再生装置であって、参照光と信号光を光情報記録媒体に照射するピックアップと、前記光ピックアップから照射された前記参照光の位相共役光を生成する位相共役光学系と、前記光情報記録媒体のプリキュア及びポストキュアに用いる光ビームを生成するキュア光学系と、前記光情報記録媒体の欠陥の識別に用いる光ビームを生成する欠陥識別光学系と、前記欠陥識別光学系から出射され光情報記録媒体を透過もしくは反射した光を受ける光検出器とを備え、前記光情報記録媒体に記録されるデータを受け取った後、及び、受け取ったデータを前記光情報記録媒体に記録する前に、前記欠陥識別光学系から出射した光に基づいて、欠陥があるかどうかを決定する事を特徴とする光情報記録再生装置等を用いる。
【発明の効果】
【００１８】
本発明によれば、ホログラフィを利用したデジタル情報の記録時に光情報記録媒体についたゴミや傷、もしくは光情報記録媒体の内部にある、気泡や不純物等の欠陥のある光情報記録媒体であっても、欠陥周辺に影響を与える事無く信頼性の高い記録を行う事ができる。
【発明を実施するための最良の形態】
【００１９】
以下、本発明の実施例について説明する。
【実施例１】
【００２０】
図１はホログラフィを利用してデジタル情報を記録および／または再生する光情報記録再生装置の全体的な構成を示したものである。
【００２１】
光情報記録再生装置１０は、ピックアップ１１、位相共役光学系１２、ディスクキュア光学系１３、ディスク回転角度検出用光学系１４、欠陥識別光学系１５ならびに回転モータ５０を備えており、光情報記録媒体１は回転モータ５０によって回転可能な構成となっている。
【００２２】
ピックアップ１１は、参照光と信号光を光情報記録媒体１に出射してホログラフィを利用してデジタル情報を記録する役割を果たす。
【００２３】
この際、記録する情報信号はコントローラ８９によって信号生成回路８６を介してピックアップ１１内の後述する空間光変調器に送り込まれ、信号光は該空間光変調器によって変調される。
【００２４】
光情報記録媒体１に記録した情報を再生する場合は、ピックアップ１１から出射された参照光の位相共役光を位相共役光学系１２によって生成する。ここで位相共役光とは、入力光と同一の波面を保ちながら逆方向に進む光波のことである。該位相共役光によって再生される再生光をピックアップ１１内の後述する光検出器によって検出し、信号処理回路８５によって信号を再生する。
【００２５】
光情報記録媒体１に照射する参照光と信号光の照射時間は、ピックアップ１１内の後述するシャッタの開閉時間をコントローラ８９によってシャッタ制御回路８７を介して制御することで調整できる。
【００２６】
ディスクキュア光学系１３は、光情報記録媒体１のプリキュアおよびポストキュアに用いる光ビームを生成する役割を果たす。ここでプリキュアとは、光情報記録媒体１内の所望の位置に情報を記録する際、該所望位置に参照光と信号光を照射する前に予め所定の光ビームを照射する前工程の事である。またポストキュアとは、光情報記録媒体１内の所望の位置に情報を記録した後、該所望の位置に追記不可能とするために所定の光ビームを照射する後工程の事である。
図２は、欠陥識別光学系の光学系構成の一例である。
【００２７】
欠陥識別光学系１５は例えば図２のようになっており、光情報記録媒体１の欠陥の識別に用いる光ビームを生成する、光源４０１と、光ビームを任意の広がりのあるビームにするコリメートレンズ４０２。さらに、光情報記録媒体１を透過もしくは反射する光ビームの光量を測定可能な光検出器４０３を備えている。
ここで欠陥とは、光情報記録媒体１についたゴミや傷、もしくは光情報記録媒体１の内部にある、気泡や不純物等当該部周辺のホログラフィ記録を不可能とする異物の事である。
図３は欠陥の有無による欠陥識別光学系で識別する光情報記録媒体１の透過もしくは反射光の光量の一例である。
【００２８】
光情報記録媒体に欠陥が有った場合、入射した光ビームが欠陥に反射及び吸収され、光検出器４０３で検出される光量が図３に示すように、本来光情報記録媒体１を透過する光量と比較して小さくなる。
ここで欠陥の識別とは、前記原理を利用し、光記録媒体１内の所望の位置に記録に障害となる欠陥が無いかを光情報記録媒体１に入射もしくは反射させた光の光量に閾値を持たせ、検出した光量が閾値を越えたかどうかにより欠陥の有無の識別を行う工程の事である。
【００２９】
図１のディスク回転角度検出用光学系１４は、光情報記録媒体１の回転角度を検出するために用いられる。光情報記録媒体１を所定の回転角度に調整する場合は、ディスク回転角度検出用光学系１４によって回転角度に応じた信号を検出し、検出された信号を用いてコントローラ８９によってディスク回転モータ制御回路８８を介して光情報記録媒体１の回転角度を制御する事が出来る。
【００３０】
光源駆動回路８２からは所定の光源駆動電流がピックアップ１１、ディスクキュア光学系１３、ディスク回転角度検出用光学系１４、欠陥識別光学系１５内の光源に供給され、各々の光源からは所定の光量で光ビームを発光することができる。
【００３１】
また、ピックアップ１１、位相共役光学系１２、ディスクキュア光学系１３、欠陥識別光学系１５は、光情報記録媒体１の半径方向に位置をスライドできる機構が設けられており、アクセス制御回路８１を介して位置制御がおこなわれる。
【００３２】
ところでホログラフィを利用した記録技術は、超高密度な情報を記録可能な技術であるがゆえに、例えば光情報記録媒体１の傾きや位置ずれに対する許容誤差が極めて小さくなる傾向がある。それゆえピックアップ１１内に、例えば光情報記録媒体１の傾きや位置ずれ等、許容誤差が小さいずれ要因のずれ量を検出する機構を設けて、サーボ信号生成回路８３にてサーボ制御用の信号を生成し、サーボ制御回路８４を介して該ずれ量を補正するためのサーボ機構を光情報記録再生装置１０内に備えても良い。
【００３３】
またピックアップ１１、位相共役光学系１２、ディスクキュア光学系１３、ディスク回転角度検出用光学系１４、欠陥識別光学系１５は、いくつかの光学系構成または全ての光学系構成をひとつに纏めて簡素化しても構わない。
【００３４】
図４は、光情報記録再生装置１０におけるピックアップ１１の光学系構成の一例を示したものである。
【００３５】
光源３０１を出射した光ビームはコリメートレンズ３０２を透過し、シャッタ３０３に入射する。シャッタ３０３が開いている時は、光ビームはシャッタ３０３を通過した後、例えば２分の１波長板などで構成される光学素子３０４によってＰ偏光とＳ偏光の光量比が所望の比になるように偏光方向を制御された後、ＰＢＳ（Ｐｏｌａｒｉｚａｔｉｏｎ  Ｂｅａｍ  Ｓｐｌｉｔｔｅｒ）プリズム３０５に入射する。
【００３６】
ＰＢＳプリズム３０５を透過した光ビームは、ビームエキスパンダ３０９によって光ビーム経を拡大された後、位相マスク３１１、リレーレンズ３１０、ＰＢＳプリズム３０７を経由して空間光変調器３０８に入射する。
【００３７】
空間光変調器３０８によって情報を付加された信号光ビームはＰＢＳプリズム３０７を透過し、リレーレンズ３１２ならびに空間フィルタ３１３を伝播する。その後、信号光ビームは対物レンズ３２５によって光情報記録媒体１に集光する。
【００３８】
一方、ＰＢＳプリズム３０５を反射した光ビームは参照光ビームとして働き、偏光方向変換素子３２４によって記録時または再生時に応じて所定の偏光方向に設定された後、ミラー３１４ならびにミラー３１５を経由してガルバノミラー３１６に入射する。ガルバノミラー３１６はアクチュエータ３１７によって角度を調整可能のため、レンズ３１９とレンズ３２０を通過した後に情報記録媒体１に入射する参照光ビームの入射角度を、所望の角度に設定することができる。
【００３９】
このように信号光ビームと参照光ビームを光情報記録媒体１において、互いに重ね合うように入射させることで、記録媒体内には干渉縞パターンが形成され、このパターンを記録媒体に書き込むことで情報を記録する。またガルバノミラー３１６によって光情報記録媒体１に入射する参照光ビームの入射角度を変化させることができるため、角度多重による記録が可能である。
【００４０】
記録した情報を再生する場合は、前述したように参照光ビームを光情報記録媒体１に入射し、光情報記録媒体１を透過した光ビームをガルバノミラー３２１にて反射させることで、その位相共役光を生成する。
【００４１】
この位相共役光によって再生された再生光ビームは、対物レンズ３２５、リレーレンズ３１２ならびに空間フィルタ３１３を伝播する。その後、再生光ビームはＰＢＳプリズム３０７を反射して光検出器３１８に入射し、記録した信号を再生することができる。
【００４２】
なお、ピックアップ１１の光学系構成は図４に限定されるものではなく、例えば図５に示すような構成であっても構わない。
図５は、光情報記録再生装置１０におけるピックアップ１１の光学系構成の図４とは別の一例を示したものである。
【００４３】
図５について説明する。
【００４４】
光源２０１を出射した光ビームはコリメートレンズ２０２を透過し、シャッタ２０３に入射する。シャッタ２０３が開いている時は、光ビームはシャッタ２０３を通過した後、例えば２分の１波長板などで構成される光学素子２０４によってＰ偏光とＳ偏光の光量比が所望の比になるように偏光方向を制御された後、ＰＢＳプリズム２０５に入射する。
【００４５】
ＰＢＳプリズム２０５を透過した光ビームは、ＰＢＳプリズム２０７を経由して空間光変調器２０８に入射する。
【００４６】
空間光変調器２０８によって情報を付加された信号光ビーム２０６はＰＢＳプリズム２０７を反射し、所定の入射角度の光ビームのみを通過させるアングルフィルタ２０９を伝播する。その後、信号光ビームは対物レンズ２１０によって光情報記録媒体１に集光する。
【００４７】
一方、ＰＢＳプリズム２０５を反射した光ビームは参照光ビーム２１２として働き、偏光方向変換素子２１９によって記録時または再生時に応じて所定の偏光方向に設定された後、ミラー２１３ならびにミラー２１４を経由してレンズ２１５に入射する。
【００４８】
レンズ２１５は参照光ビーム２１２を対物レンズ２１０のバックフォーカス面に集光させる役割を果たしており、対物レンズ２１０のバックフォーカス面にて一度集光した参照光ビームは、対物レンズ２１０によって再度、平行光となって光情報記録媒体１に入射する。
【００４９】
ここで対物レンズ２１０または光学ブロック２２１は、例えば符号２２０に示す方向に駆動可能であり、対物レンズ２１０または光学ブロック２２１の位置を駆動方向２２０に沿ってずらすことにより、対物レンズ２１０と対物レンズ２１０のバックフォーカス面における集光点の相対位置関係が変化するため、光情報記録媒体１に入射する参照光ビームの入射角度を所望の角度に設定することができる。  
このように信号光ビームと参照光ビームを光情報記録媒体１において、互いに重ね合うように入射させることで、記録媒体内には干渉縞パターンが形成され、このパターンを記録媒体に書き込むことで情報を記録する。また対物レンズ２１０または光学ブロック２２１の位置を駆動方向２２０に沿ってずらす事によって、光情報記録媒体１に入射する参照光ビームの入射角度を変化させることができるため、角度多重による記録が可能である。
【００５０】
記録した情報を再生する場合は、前述したように参照光ビームを光情報記録媒体１に入射し、光情報記録媒体１を透過した光ビームをガルバノミラー２１６にて反射させることで、その位相共役光を生成する。
【００５１】
この位相共役光によって再生された再生光ビームは、対物レンズ２１０、アングルフィルタ２０９を伝播する。その後、再生光ビームはＰＢＳプリズム２０７を透過して光検出器２１８に入射し、記録した信号を再生することができる。
【００５２】
図５で示した光学系は、信号光ビームと参照光ビームを同一の対物レンズに入射させる構成とすることで、図４で示した光学系構成に比して、大幅に小型化できる利点を有する。
【００５３】
図６は、光情報記録再生装置１０における記録、再生の動作フローを示したものである。ここでは、特にホログラフィを利用した記録再生に関するフローを説明する。
【００５４】
図６（ａ）は、光情報記録再生装置１０に光情報記録媒体１を挿入した後、記録または再生の準備が完了するまでの動作フローを示し、図６（ｂ）は準備完了状態から光情報記録媒体１に情報を記録するまでの動作フロー、図６（ｃ）は準備完了状態から光情報記録媒体１に記録した情報を再生するまでの動作フローを示したものである。
【００５５】
図６（ａ）に示すように媒体を挿入すると、光情報記録再生装置１０は、例えば挿入された媒体がホログラフィを利用してデジタル情報を記録または再生する媒体であるかどうかディスク判別を行う。
【００５６】
ディスク判別の結果、ホログラフィを利用してデジタル情報を記録または再生する光情報記録媒体であると判断されると、光情報記録再生装置１０は光情報記録媒体１に設けられたコントロールデータを読み出し、例えば光情報記録媒体に関する情報や、例えば記録や再生時における各種設定条件に関する情報を取得する。
【００５７】
コントロールデータの読み出し後は、コントロールデータに応じた各種調整やピックアップ１１に関わる学習処理を行い、光情報記録再生装置１０は、記録または再生の準備が完了する。
【００５８】
準備完了状態から情報を記録するまでの動作フローは図６（ｂ）に示すように、まず記録するデータを受信して、該データに応じた情報をピックアップ１１内の空間光変調器に送り込む。
【００５９】
その後、光情報記録媒体１に高品質の情報を記録できるように、必要に応じて各種学習処理を事前に行い、シーク動作ならびにアドレス再生を繰り返しながらピックアップ１１ならびにディスクキュア光学系１３ならびに欠陥識別光学系１５の位置を光情報記録媒体の所定の位置に配置する。
その後、後述するデータ記録処理を行い光情報記録媒体１にデータを記録する。
データを記録した後は、必要に応じてデータをベリファイし、ディスクキュア光学系から出射する光ビームを用いてポストキュアを行う。
【００６０】
準備完了状態から記録された情報を再生するまでの動作フローは図６（ｃ）に示すように、光情報記録媒体から高品質の情報を再生できるように、必要に応じて各種学習処理を事前に行う。その後、シーク動作ならびにアドレス再生を繰り返しながらピックアップ１１ならびに位相共役光学系１２の位置を光情報記録媒体の所定の位置に配置する。
【００６１】
その後、ピックアップ１１から参照光を出射し、光情報記録媒体に記録された情報を読み出す。
【００６２】
ここで、図６（ｂ）のデータ記録処理動作について詳細に説明する。
図７（ａ）に、図６（ｂ）の、データ記録処理の内部動作フローを示す。
シーク動作ならびにアドレス再生を繰り返しながらピックアップ１１ならびにディスクキュア光学系１３ならびに欠陥識別光学系１５の位置を光情報記録媒体の所定の位置に配置した後、欠陥識別光学系１５から出射する光ビームの光情報記録媒体１への透過もしくは反射光の光量より光情報記録媒体１の欠陥の有無を識別する。欠陥ありと識別した場合、目標記録アドレスを変更し再度シーク処理から行う。
欠陥なしと識別した場合は、その後、ディスクキュア光学系１３から出射する光ビームを用いて所定の領域をプリキュアし、ピックアップ１１から出射する参照光と信号光を用いてデータを記録する。
【００６３】
ここで、記録開始初期に欠陥を識別する処理を入れることにより従来の記録手法では欠陥識別までにプリキュア データ記録 ベリファイと全ての処理を行う必要のあった処理を短縮する事が出来る。この為、欠陥の存在する光情報記録媒体１に情報を記録する場合に記録速度が向上するという利点がある。また欠陥は光の散乱や反射を起こし、欠陥周辺の記録部に不要の光を当ててしまい、欠陥部周辺の記録容量を少なくしてしまうがプリキュア前に検出処理を行う事により欠陥部周辺への影響を少なくする事が出来るという利点もある。
【００６４】
ここで図７（ｂ）は、ディスクキュア光学系１３と欠陥識別光学系１５の光学系をまとめてしまいプリキュア時に欠陥の識別を行うこととした場合の図６（ｂ）の、データ記録処理の内部動作フローである。
【００６５】
シーク動作ならびにアドレス再生を繰り返しながらピックアップ１１ならびにディスクキュア光学系１３ならびに欠陥識別光学系１５の位置を光情報記録媒体の所定の位置に配置した後、ディスクキュア光学系１３から出射する光ビームを用いて所定の領域をプリキュアし同時に光情報記録媒体１への透過もしくは反射光の光量より光情報記録媒体１の欠陥の有無を識別する。欠陥ありと識別した場合、即座にプリキュア処理を止め、目標記録アドレスを変更し再度シーク処理から行う。
欠陥なしと識別した場合は、その後、ピックアップ１１から出射する参照光と信号光を用いてデータを記録する。
【００６６】
ここで、図７（ｂ）の処理はプリキュア動作と欠陥識別を同時に行うことが出来る為、図７（ａ）での記録動作より処理の速度を速める事が出来る。
また、欠陥識別の為の光ビームをキュア部から出射される光ビームを使用することにより欠陥識別光学系に光ビームを出射する機能を省く事が出来る為装置を簡略化する事が出来る。
【００６７】
また、光情報記録媒体１の記録処理にプリキュア、ポストキュアの必要が無く記録する事が可能な場合の記録処理フローを図８（ａ）に示す。
シーク動作ならびにアドレス再生を繰り返しながらピックアップ１１ならびに欠陥識別光学系１５の位置を光情報記録媒体の所定の位置に配置した後、ピックアップ１１から出射する参照光と信号光を用いて１多重分のデータを記録する。この時参照光もしくは信号光の透過もしくは反射光の光量を欠陥識別光学系に備えた光検出器により受光し欠陥の有無を識別する。
【００６８】
ここで、欠陥ありと識別した場合、即座にプリキュア処理を止め、目標記録アドレスを変更し再度シーク処理から行う。
欠陥なしと識別した場合は、所定の位置に追加で多重記録を行うかを判断する。
多重で記録を行う場合は、ピックアップ１１を次の多重記録を行える位置に配置し、ピックアップ１１から出射する参照光と信号光を用いて１多重分のデータの記録を繰り返す。
これ以上の多重記録を行う必要がなくなった場合、必要があればベリファイ処理へ移動する。
【００６９】
ここで、前述した、図７（ａ）、図７（ｂ）及び図８（ａ）の欠陥識別により、欠陥があったとして記録を行わなかった位置情報を光情報記録媒体１に設けられたコントロールデータに記録を行うと、以降のディスク挿入時にコントロールデータ読み出し欠陥位置を識別する事が出来、当該位置での記録再生動作を制御できる。
【００７０】
ここで、一般に欠陥の位置情報はホログラムの１つの位置に記録出来る情報量に比べると小さいデータ量である。また、ホログラムの記録は１ページ毎に行う為、記録する情報の量が小さくても一定量以上の記録容量を使用してしまう事になる。
【００７１】
その為、記録を行わなかった位置情報の記録を欠陥発見毎に行っているとコントロールデータの記録容量を無駄遣いしてしまう。
【００７２】
そこで、記録を行わなかった位置情報は、記録が終了した後や、ディスクの取り出し操作が行われた時に行うと、ホログラム管理領域の使用量を削減する事が出来る為良い。
【図面の簡単な説明】
【００７３】
【図１】光情報記録再生装置の実施例を表す概略図。
【図２】欠陥識別光学系。
【図３】欠陥の有無による光検出器の光量変化を示した図。
【図４】光情報記録再生装置内のピックアップの実施例を表す概略図。
【図５】光情報記録再生装置内のピックアップの実施例を表す概略図。
【図６】光情報記録再生装置の動作フローの実施例を表す概略図。
【図７】光情報記録再生装置のデータ記録処理動作フローの実施例を表す概略図。
【図８】光情報記録再生装置のデータ記録処理動作フローの実施例を表す概略図。
【符号の説明】
【００７４】
１・・・光情報記録媒体、１０・・・光情報記録再生装置、１１・・・ピックアップ、
１２・・・位相共役光学系、１３・・・ディスクキュア光学系、
１４・・・ディスク回転角度検出用光学系、１５・・・欠陥識別光学系、
５０・・・回転モータ、８１・・・アクセス制御回路、
８２・・・光源駆動回路、８３・・・サーボ信号生成回路、
８４・・・サーボ制御回路、８５・・・信号処理回路、８６・・・信号生成回路、
８７・・・シャッタ制御回路、８８・・・ディスク回転モータ制御回路、
８９・・・コントローラ、
２０１・・・光源、２０２・・・コリメートレンズ、２０３・・・シャッタ、
２０４・・・光学素子、２０５・・・偏光ビームスプリッタ、２０６・・・信号光、
２０７・・・偏光ビームスプリッタ、２０８・・・空間光変調器、
２０９・・・アングルフィルタ、２１０・・・対物レンズ、
２１１・・・対物レンズアクチュエータ、２１２・・・参照光、２１３・・・ミラー、
２１４・・・ミラー、２１５・・・レンズ、２１６・・・ミラー、２１７・・・アクチュエータ、
２１８・・・光検出器、２１９・・・偏光方向変換素子、２２０・・・駆動方向、
２２１・・・光学ブロック、
３０１・・・光源、３０２・・・コリメートレンズ、３０３・・・シャッタ、
３０４・・・光学素子、３０５・・・偏光ビームスプリッタ、
３０６・・・信号光、３０７・・・偏光ビームスプリッタ、３０８・・・空間光変調器、
３０９・・・ビームエキスパンダ、３１０・・・リレーレンズ、
３１１・・・フェーズ（位相）マスク、３１２・・・リレーレンズ、
３１３・・・空間フィルタ、３１４・・・ミラー、３１５・・・ミラー、
３１６・・・ミラー、３１７・・・アクチュエータ、３１８・・・光検出器、
３１９・・・レンズ、３２０・・・レンズ、３２１・・・ミラー、３２２・・・アクチュエータ、
３２３・・・参照光、３２４・・・偏光方向変換素子、３２５・・・対物レンズ、
４０１・・・光源、４０２・・・コリメートレンズ、４０３・・・光検出器。
【図１】
0005211816.tif 000002
【図２】
0005211816.tif 000003
【図３】
0005211816.tif 000004
【図４】
0005211816.tif 000005
【図５】
0005211816.tif 000006
【図６】
0005211816.tif 000007
【図７】
0005211816.tif 000008
【図８】
0005211816.tif 000009